(57)【要約】【課題】商品陳列ワゴンは建物内外を移動しながら商品の販売などや展示品の鑑賞などに使用するもので、そのため多様な陳列方法、昼夜、天候にされることなく、そして人目を引くこと、商品、展示品を汚れから守ること、また商品、展示品によって保温が必要なことを提供することにある。【解決手段】商品陳列ワゴンは箱型で中空管からなり、発電機、照明器具、拡声機、保温ランプ、ノボリ旗取り付け具を設け、店舗内は多様な陳列方法が可能な構成で、天候に左右されることなく、夜間でも営業ができ、また汚れから守るため店舗部分を透明な素材のカバー及び４側面を透明な素材の引き戸にすることで解決手段とした。【選択図】        図１2005125039.tif 000003
2005125039.tif 000002
【特許請求の範囲】
【請求項１】
商品陳列ワゴンは組立式による箱型ユニット店舗１で店舗部分２と収納部分３とに分かれ、店舗の下部には収納庫があり、その下部に車輪８を設け、押し引き手用取手９を設けてあることを特徴とした商品陳列ワゴン。
【請求項２】
商品陳列ワゴンの店舗部には陳列台４があり、陳列台には複数の支柱５、複数の止め具６、店舗天上部及び店舗部のフレーム７、１０を基にして、多様な陳列棚が構成ができ、陳列部分の上部には拡声機１１、照明器具１２、保温ランプ１４、ノボリ旗取り付け具１３、店舗全体を透明な素材でのカバー１５を設けることができる、そのカバーには脱着できる素材１６を取り付けてある、また店舗部分の４側面に透明な素材の引き戸１８にすることもできる、収納庫に発電機１７を設ける、支柱、陳列棚、拡声機、照明器具、ノボリ旗取り付け具、カバー、引き戸、保温ランプ、発電機は脱着できることを特徴としな商品陳列ワゴン。
【発明の詳細な説明】
【技術分野】
【０００１】商品陳列ワゴンはスーパーマーケットなど店舗内での商品の販売、宣伝用であり、それらについては利点がある。
【背景技術】
【０００２】
【発明の開示】
【発明が解決しようとする課題】
【０００３】商品陳列ワゴンは２通りの使用方法がありその１は商品を陳列して建物内外を移動しながらしながら商品の販売、貸出、宣伝を目的とする、２として展示品を陳列して建物内外を移動しながら展示品を一般の人に鑑賞などをしてもらうことが目的である、それも昼夜、天候に左右されることなく、陳列する商品及び展示品によってゴミなどの汚れから防ぐこと、商品及び展示品によっては保温が必要なこと、また商品陳列ワゴンが人目を引き、人を寄せることを第１の解決の課題とした。【０００４】商品陳列ワゴンは各種の商品、各種の展示品を陳列するには多様な陳列構成が必要であり、それについては第２の解決の課題とした。
【課題を解決するための手段】
【０００５】商品陳列ワゴンは夜間でも商品を陳列して営業ができ、展示品を陳列して鑑賞などできることについては請求項２に記してある通り、収納庫に設けてある発電機、店舗内に設けてある照明器具によって解決するための手段とした。【０００６】商品陳列ワゴンは天候に左右されず商品を陳列して営業ができ、展示品を陳列して鑑賞などできることについては請求項２に記してある通り、店舗部分全体に透明な素材のカバー設ける、このカバーは陳列部分は複数に分かれ、その端部などには脱着できる素材が取り付けてあるので、複数に分かれているカバーを巻きあげて屋根に止めることができる、また店舗部分４側面を透明な素材の引き戸とすることで解決するための手段とした。【０００７】商品陳列ワゴンは陳列する商品及び展示品によってゴミなどの汚れから防ぐことについては【０００６】に記してある通り、店舗部分全体を透明な素材のカバーを設ける、また店舗部分４側面を透明な素材の引き戸とすることで解決するための手段とした。【０００８】商品陳列ワゴンは販売する商品及び展示する展示品によって保温が必要なことについては店舗部分を透明な素材の引き戸とし、店舗内に保温ランプ、収納庫に発電機を設けることで解決するための手段とした。【０００９】商品陳列ワゴンに商品を陳列して営業及び展示品を陳列して一般の人に鑑賞などについて人目を引き、人を寄せることについては店舗内の拡声機、照明器具、店舗外のノボリ旗、収納庫に設けてある発電機などによって解決するための手段とした。【００１０】商品陳列ワゴンは各種の商品や各種の展示品を陳列するには多様な陳列構成が必要であり、それについては店舗部に陳列台があり、その陳列台には複数の支柱、複数の止め具それに天上部分及び店舗部分のフレームを利用して多様な陳列棚が構成できることによって解決するための手段とした。
【発明の効果】
【００１１】店舗内の多様な陳列方法が構成できることによって各種の商品や展示品を陳列できる。商品陳列ワゴンは建物内外を移動しながら商品の販売、貸出、宣伝をすることで次ぎの効果がある。などができる。
１客が固定した店舗まで行かなくても買物ができる
２小資本で誰でも営業ができる
３昼夜、天候に左右されず営業ができる
４人目を引き物珍しさもあって売上が多く見込める
５販売する商品によって保温も可能であり、商品をゴミなどの付着から防ぐこともできる
７陳列棚の多様な構成によって各種の商品が販売できる
８収納庫に商品を保管してあるので品切れから防げる
同ワゴンに展示品を陳列して建物内外を移動して一般の人が展示品を鑑賞できることで次ぎの効果がある。
１展示会場が遠い、時間の都合で行けない、体が悪いので行けない人などでも展示品を鑑賞できる
２学校教育、社会教育などに役立つ。
３展示品を汚れから守れる、展示品によっては保温もできる。
【発明を実施するための最良の形態】
【００１２】商品陳列ワゴンは２通りの使用方法があり、その１は同ワゴンに商品を陳列して建物内外を移動しながら商品の販売、貸出、宣伝することと２として同ワゴンに展示品を陳列して建物内外を移動しながら展示品を鑑賞などをすることである。
【実施例１】商品陳列ワゴンは図１〜３に示してある、組立式ユニット店舗１で骨組みは中空管がらなり、箱型から成る構成で店舗部分２と収納部分３とに分かれ、店舗部分には陳列台４があり、その陳列台には複数の支柱５と複数の止め具６、天上部分７及び店舗部分１０のフレームを基にして多様な陳列棚を構成する。
【実施例２】商品については同ワゴンに商品を陳列して建物内外を移動しながら営業し、展示品については同ワゴンに展示品を陳列して建物内外を移動しながら一般の人への鑑賞などいたる。
【実施例３】夜間についての商品の販売などの営業及び展示品の鑑賞などについては収納庫３に設けてある発電機１７、店舗内に設けてある照明器具１２の利用によって実施の形態となる。
【実施例４】商品の販売などの営業及び展示品の鑑賞などについて、天候に左右されることなく、またゴミなどの汚れから守ることについては図２に示してある、店舗部分全体に透明な素材のカバー１５を設けることと店舗部の４側面を透明な素材の引き戸１８を利用する、この２通りとしたのは、販売などする商品及び展示する展示品、及び天候などによって使い分けができるようにしたためである、カバーは図２に示してある陳列部分は複数に分かれ、商品の販売などには支障がない、カバーの端部などには脱着できる素材１６が取り付けてあり、複数に分かれてあるカバーを巻きあげて屋根に収り付けることもできる。
【実施例５】販売などする商品及び展示する展示品について保温が必要な時は図３に示してある、店舗部に透明な素材の引き戸１８を設け、店舗内に保温ランプ１４を設け、収納庫に発電機１７を設け、それらを利用によって実施の形態となる。
【実施例６】人目を引き、人を寄せることについては、図３に示してある、店舗内に設けてある拡声機１１、照明器具１２、店舗フレーム１０に設けてあるノボリ旗取り付け具１３にノボリ旗を立て、収納庫に設けてある発電機１７を利用することによって実施の形態となる。
【実施例７】商品陳列ワゴンは各種の商品や各種の展示品を陳列するには多様な陳列構成、多様な陳列棚が必要である、図１に示してある、それを実施するについては店舗部の陳列台４には複数の支柱５、複数の止め具６が設けてあり、それに天上部分及び店舗部分のフレーム７、１０を利用して多様な陳列棚が構成である、また支柱、陳列棚は脱着ができ、それを脱着して既存の陳列棚を設けることもできる、これが実施の形態である。
【図面の簡単な説明】
【００１３】
【図１】斜視図
【図２】店舗部分にカバーした際の斜視図
【図３】側面図
【符号の説明】
１  箱型ユニット店舗
２  店舗部分
３  収納部分
４  陳列台
５  支柱
６  止め具
７  店舗天上部分のフレーム
８  車輪
９  押し引き手用取手
１０  店舗部分のフレーム
１１  拡声機
１２  照明器具
１３  ノボリ旗取り付け具
１４  保温ランプ
１５  透明な素材のカバー
１６  脱着できる素材
１７  発電機
１８  引き戸
【図１】
2005125039.tif 000004
【図２】
2005125039.tif 000005
【図３】
2005125039.tif 000006